(57)【特許請求の範囲】
【請求項１】
キャビネットと、該キャビネットに高さを調整するようにキャビネットに取り付けられたアジャスタと、シンクの後方に配置された出窓とを備え、前記キャビネットの天板が出窓のカウンタと一体的に形成されており、出窓本体が建物躯体に設置された後に、前記天板が前記キャビネットの本体上に載置される出窓付きキッチンにおいて、
前記出窓のフランジと前記キャビネット本体の上面の間のスペースの寸法を前記天板の厚みより大きくなるように、前記アジャスタにより前記キャビネット本体の高さを最終的にセットする所定の高さより低くしておき、前記シンク前方の幕板が取り付けられていない状態で、前記天板が、前記キャビネット本体上に載置されてキッチン前方より所定の取付位置まで移動され、前記キャビネット本体が前記アジャスタにより上昇させられることで、前記出窓のフランジの下面に当接する構成であることを特徴とする出窓付きキッチン。
【発明の詳細な説明】
【０００１】
【発明の属する技術分野】
この発明は、出窓付きキッチンに関し、特に、出窓のカウンター及びキャビネットの天板が一体的に形成された天板を、キャビネット本体の前面開口部を通し出窓及びキャビネット本体の上面に載置してスライドして取り付け、取り外すことのできる幕板の取り付け構造を有する出窓付きキッチンに関する。
【０００２】
【従来の技術】
従来、出窓付きキッチンは知られているところである。このような出窓付きキッチンでは、出窓のカウンターを兼ねた天板がキャビネット本体の上面に載置され取り付けられている。
【０００３】
このような天板をキャビネット本体に載置して取り付ける場合、天板自体も出窓のカウンターを兼ねるものであると、重量的に重くその取付作業が困難となる。さらに、特に、出窓の下端内縁に沿ってフランジが形成されているタイプの出窓であると、その出窓のフランジが障害となって天板を上から落とし込むようにして設置することができない。
【０００４】
【発明が解決しようとする課題】
本発明は、上記従来の問題点を解決することを目的とするものであり、キャビネット本体の前方から天板をキャビネット上面に載置して、これを出窓方向にスライドして設置する構造のキッチンを実現することを主な課題とする。
【０００５】
ところで、シンク付き天板を取り付ける場合は、キャビネットの前面開口部に幕板が固定されていると、シンクが幕板に当たってしまい作業がしにくいという問題がある。そこで、本発明では、幕板をキャビネット本体の左右の側板の間に着脱可能に取り付けられる構成として、天板を前方からスライドして取り付け、後から幕板を取り付ける構成とするキッチンを実現する。
【０００６】
そして、左右の側板の間に幕板を入れて取り付けるに際して、幕板を左右の側板の間に入れていくと、側板間の間隔が広がりやすく、幕板と側板とを互いに密着保持してしっかりと固定しくい。さらに、天板の前縁部と幕板の間に隙間が生じ、前方から見て見栄がよくない、等の問題がある。
【０００７】
そこで本発明は、左右の側板と幕板とを互いに密着して取り付けられようにして左右の側板間の間口を固定し、さらに天板の前縁部と幕板との間に隙間が生じないようにすることを課題とするものである。
【０００８】
【課題を解決するための手段】
本発明は上記課題を解決するために、キャビネットと、該キャビネットに高さを調整するようにキャビネットに取り付けられたアジャスタと、シンクの後方に配置された出窓とを備え、前記キャビネットの天板が出窓のカウンタと一体的に形成されており、出窓本体が建物躯体に設置された後に、前記天板が前記キャビネットの本体上に載置される出窓付きキッチンにおいて、前記出窓のフランジと前記キャビネット本体の上面の間のスペースの寸法を前記天板の厚みより大きくなるように、前記アジャスタにより前記キャビネット本体の高さを最終的にセットする所定の高さより低くしておき、前記シンク前方の幕板が取り付けられていない状態で、前記天板が、前記キャビネット本体上に載置されてキッチン前方より所定の取付位置まで移動され、前記キャビネット本体が前記アジャスタにより上昇させられることで、前記出窓のフランジの下面に当接する構成であることを特徴とする出窓付きキッチンを提供する。
【００１１】
【発明の実施の形態】
本発明に係る出窓付きキッチンの実施の形態を実施例に基づいて図面を参照して以下説明する。図１は、本発明係る出窓付きキッチンの実施例の全体構成を説明する図である。
【００１２】
本発明に係る出窓付きキッチン１は、キャビネット本体２と、キャビネット本体２の後方に設置される出窓本体３と、シンク付き天板４と、シンク幕板（以下、単に「幕板」という。）５とから構成される。
【００１３】
キャビネット本体２は、一体に製作されたキャビネットでもよいが、複数のキャビネットを組み合わせたものでもよい。図１に示すキャビネット本体２は、左側、中央及び右側キャビネットの三つキャビネット６、７、８から構成される。この三つのキャビネット６、７、８は、引き出しや引き戸付き収納部等が適宜配設される。
【００１４】
この三つのキャビネット６、７、８は、夫々の上面は開口部を有している。中央キャビネット７について見ると、上面に上面開口部９を有し、前面には前面開口部１０を有している。左側、中央及び右側キャビネット６、７、８は、夫々底部にアジャスタ１１（キャビネットの脚柱１２の下端ねじ部に螺着されて高さが調整できる座部）が取り付けられており、このアジャスタ１１を操作することによりキャビネット本体２を矢印Ｄのように上下に昇降可能とし、キャビネット本体２の高さを調整することができる。
【００１５】
出窓本体３は、キャビネット本体２とは別体として構成する。出窓本体３は、建物躯体（構造体）１３の開口１４から外側に張り出すように配置されるものであり、左右フレーム１５で支持された左右側壁１６、窓枠１７を有する窓１８、天井壁１９等から構成されている。左右フレーム１５及び窓枠１７の下縁から内側に張り出す出窓のフランジ２０が形成されている。
【００１６】
天板４は、出窓のカウンター部（図３中２１で示す部分）と従来のキャビネットの天板が一体に構成されているものであり、その平面形状は、出窓のカウンター部２１とキャビネット本体２の天板として機能できるような形状をしている。図１に示す実施例では天板４にシンク２２が形成されている。天板４とシンク２２は一体に形成されていてもよいが、別体の天板４とシンク２２を予め取り付けたものでもよい。
【００１７】
幕板５は、中央キャビネット７の前面開口部１０の上部において、左右の側板２３の間に取り付けられるものである。幕板５の左右端部には、側板２３へ取り付けるための取付用孔や金具等が設けられている。
【００１８】
図２（ａ）は、幕板５の側板２３への取付構造の一例を示すものであり、この例では、幕板５の左端部の上下には、取付用孔２４が形成されている。一方側板２３には、この取付用孔２４に対応した位置に、二つの金具２５が取り付けられている。幕板５は、ねじ２６を取付用孔２４を通して金具２５に螺着し、側板２３に固定されるように構成されている。
【００１９】
図２（ｂ）は、幕板５の側板２３への取付構造の別の例を示すものであり、この例では、幕板５の左端部の上下には、夫々取付用の係止具２７が取り付けられている。一方、この係止具２７に対応して上下二つの円柱状の係止ピン２８が側板２３に取り付けられており、係止ピン２８が係止具２７に係脱自在に係入することで、幕板５が側板２３に着脱自在に固定されるように構成されている。係止具２７は、くわえ込み金具や湾曲状のクリップ等が利用される。
【００２０】
以上のような構成の出窓付きキッチン１の構成を、より明確にするためにその取付工程について以下、順次説明する。
工程１：
建物の建築又は改築中に、出窓本体３を建物躯体１３の開口１４から外側に張り出すように設置し、建物の柱等の構造物に出窓本体３を取り付ける。
【００２１】
工程２：
キャビネット本体２を設置する。この場合、左側、中央及び右側キャビネット６、７、８の底部に設けられた夫々のアジャスタ１１を調整して、キャビネット本体２を、最終的にセットする所定の高さより低くする。
【００２２】
具体的には、図２（ｃ）（図１の矢印Ａの要部拡大図）に示すように、出窓のフランジ２０とキャビネット本体２の上面の間のスペース２９の寸法ｓが天板４の厚みｔより大きくなるように、キャビネット本体２の高さを調整する。図２（ｃ）において、想像線は後述するように、厚さｔの天板４をキャビネット本体２の上面に載置した時の天板４の上面である。
【００２３】
工程３：
キャビネット本体２の前方から天板４をキャビネット本体２の上面に載せて、天板４をキャビネット本体２の上面でスライドし、図１の矢印Ｂに示すように、出窓方向に向けて押し込んでいく。
【００２４】
そして、天板４をその後縁部３０から、出窓のフランジ２０とキャビネット本体２の上面の間の寸法ｓのスペース２９内に挿入し、さらにスライドして押し込んでいく。この場合、天板４に付設されたシンク２２は、キャビネット７の前面開口部１０に幕板５を未だ取り付けていない状態であるから、幕板５には当たることはない。
【００２５】
そして最終的に、天板４の後縁部３０を、出窓本体３の最奥（窓側）の位置まで到達させる。このようにして天板４を、出窓のカウンター取付位置及びキャビネット本体２の上面に設置し、天板４が出窓のカウンターとキャビネット本体２の天板として機能する構成とする。
【００２６】
工程４：
幕板５を、図１の矢印Ｃに示すように左右の側板２３間に入れて取り付ける。取付構造が図２（ａ）に示す場合は、幕板５を、金具２５に当接し、ねじ２６を取付用孔２４を通して金具２５のねじ孔にねじ込んで固定する。又、取付構造が図２（ｂ）に示す場合は、係止具２７に係止ピン２８を係入するように幕板５を側板２３に取り付けることができる。
【００２７】
左右の側板２３は底板３１（図１参照）に固定されているが、その上端部は若干フリー状態である。しかし、前面開口部１０の上部において、左右の側板２３の間に幕板５を取り付けることにより、左右の側板２３の間隔（間口）がしっかりと固定できる。
【００２８】
なお、側板２３における金具２５又は係止ピン２８の取付位置、及び幕板５における取付用孔２４の位置又は係止具２７の取付位置は、幕板５が天板の前縁に対して隙間が出来ないように取り付けられる位置とする。
【００２９】
工程５：
アジャスタ１１を操作することにより、キャビネット本体２を、天板４が出窓のフランジ２０の下面に当接する位置（図２（ｄ）において矢印ｈで示す位置）まで上昇させ、天板４と出窓のフランジ２０の間の隙間をなくす。
【００３０】
以上の工程１〜５により、図３に示すように、出窓付きキッチン１が最終的にセットされる。この出窓付きキッチン１の天板４は、出窓本体３のカウンター及びキャビネット本体２の天板として機能する。
【００３１】
以上、本発明に係るキャビネットの実施の形態を実施例に基づいて説明したが、本発明は特にこのような実施例に限定されることなく、特許請求の範囲記載の技術的事項の範囲内でいろいろな実施例があることはいうまでもない。
【００３２】
【発明の効果】
本発明に係る出窓付きキッチンは上記のような構成であるから、次のような効果が生じる。
（１）キャビネット本体の前方から天板をキャビネット上面に載置して、これを出窓方向にスライドして設置する構造であるから、取付作業がきわめて容易となる。しかも、幕板をキャビネット本体の左右の側板の間に着脱自在に取り付け可能な構成であるから、幕板を取り外した状態で天板の取付作業をすれば、シンクが幕板に当たることなく、天板をスライドすることで簡単に取り付けることができる。
【００３３】
（２）キャビネット本体への幕板の取付構造において、左右の側板と幕板とを互いに密着して取り付けられようにし、左右の側板間の間口を固定し、さらに天板の前縁部と幕板との間に隙間が生じないようにすることができる。
【図面の簡単な説明】
【図１】本発明に係る出窓付きキッチンの実施例の全体構成を示す図である。
【図２】本発明に係る出窓付きキッチンの実施例の要部を説明する図である。
【図３】本発明に係る出窓付きキッチンのセットされた状態を示す図である。
【符号の説明】
１    出窓付きキッチン
２    キャビネット本体
３    出窓本体
４    天板
５    （シンク）幕板
６    左側キャビネット
７    中央キャビネット
８    右側キャビネット
９    上面開口部
１０    前面開口部
１１    アジャスタ
１３    建物躯体
１４    建物躯体の開口
１５    出窓の左右フレーム
１６    出窓の左右側壁
１７    窓枠
１８    窓
２０    出窓のフランジ
２１    出窓のカウンター部
２２    シンク
２３    左右側板
２９    スペース
【図１】
0003598996.tif 000002
【図２】
0003598996.tif 000003
【図３】
0003598996.tif 000004